(57)【特許請求の範囲】
【請求項１】
複数の端末が接続され、各端末が加入している通信サービスを識別する通信サービス情報を登録するとともに、前記端末からの通信サービス要求を受けると、要求されている通信サービスの通信サービス情報が前記端末について登録されているか否かを判別し、登録されている場合に限り、前記要求されている通信サービスを実行するサービス交換局と、
発側の加入者に通話料金を課金するクレジット呼サービスに加入している加入者がクレジット呼サービス以外の通信サービスに加入している場合に、その通信サービスを識別する通信サービス情報を登録するとともに、加入者からクレジット呼サービス要求が発生されると、前記加入者について登録されている通信サービス情報を前記サービス交換局へ通知するサービス制御手段と、
前記サービス制御手段から前記サービス交換局へ前記加入者について登録されている通信サービス情報が通知されると、前記加入者が使用している端末について前記サービス交換局に登録されている通信サービス情報を、前記サービス制御手段から通知された通信サービス情報に置き換えるサービス情報置換手段と、を備え、
前記サービス交換局は、加入者から指定された回数を加入者識別情報および加入者からの電話番号と関連付けて登録し、前記加入者からの発呼を前記加入者からの電話番号および加入者識別情報から判別し、この回数以内であれば、前記クレジット呼として扱う指定回数発信識別手段
を備えるクレジット呼サービスシステム。
【請求項２】
複数の端末が接続され、各端末が加入している通信サービスを識別する通信サービス情報を登録するとともに、前記端末からの通信サービス要求を受けると、要求されている通信サービスの通信サービス情報が前記端末について登録されているか否かを判別し、登録されている場合に限り、前記要求されている通信サービスを実行するサービス交換局と、
発側の加入者に通話料金を課金するクレジット呼サービスに加入している加入者がクレジット呼サービス以外の通信サービスに加入している場合に、その通信サービスを識別する通信サービス情報を登録するとともに、加入者からクレジット呼サービス要求が発生されると、前記加入者について登録されている通信サービス情報を前記サービス交換局へ通知するサービス制御手段と、
前記サービス制御手段から前記サービス交換局へ前記加入者について登録されている通
信サービス情報が通知されると、前記加入者が使用している端末について前記サービス交換局に登録されている通信サービス情報を、前記サービス制御手段から通知された通信サービス情報に置き換えるサービス情報置換手段と、を備え、
前記サービス交換局は、加入者によって設定された指定時間とその設定時刻とを加入者識別情報および加入者からの電話番号と関連付けて登録し、前記加入者からの発呼を前記加入者からの電話番号および加入者識別情報から判別し、前記設定時刻から前記指定時間内であれば、クレジット呼として扱う指定時間発信識別手段
を備えるクレジット呼サービスシステム。
【発明の詳細な説明】
【０００１】
【発明の属する技術分野】
本発明は、加入者自身に通話料金を課金するクレジット呼サービスシステムに関する。
【０００２】
【従来の技術】
近年、加入者からの多様な要求に応えるべくインテリジェントネットワークと称される通信網が実現されている。この通信網は、網内に、交換機を制御するためのデータベースやプロセッサ等を設け、これらのデータベースやプロセッサ等によって網内の交換機を制御することにより柔軟なルーティング制御やユーザ対応のきめ細かなサービスを実現するものである。
【０００３】
インテリジェントネットワークによって実現されるサービスのなかには、クレジット呼サービスと呼ばれるサービスがある。このクレジット呼サービスは、発信元の端末ではなく発信元の加入者に対して通話料金の課金を行うサービスである。つまり、発信元の加入者が何れの端末から通信を実行しても、その発信元の加入者自身に対して通話料金の課金が行われる。
【０００４】
このようなクレジット呼サービスによれば、発信元の加入者は、出先の電話機や公衆電話などからキャッシュレスで通信を行える。
【０００５】
【発明が解決しようとする課題】
ところで、上記したようなインテリジェントネットワークでは、クレジット呼サービスの他に、発信無料通信（フリーダイヤルサービス）、三者通話サービス、通話中割り込みサービス、短縮ダイヤルサービス、あるいは着信転送サービス等の多種なサービスが実現されている。しかし、発信元の加入者は、一定のサービス加入料金を支払っているにもかかわらず、加入しているサービスを受けられないという問題がある。
【０００６】
例えば、クレジット呼サービスと三者通話サービスとに加入している加入者が、三者通話サービスに加入していない端末でクレジット呼サービスを利用しているときに、三者通話サービスを利用しようとしてフッキング操作を行うと、このフッキング操作が交換機において切断操作と見なされ、通話が終了されてしまう。
【０００７】
一方、クレジット呼サービスを要求する際に加入者が行う操作は、初めに端末をオフフック状態にし、続いてクレジット呼サービスを識別するコード番号と加入者に割り当てられているＩＤ番号とをダイヤルする。そして、クレジット呼サービス要求の受付信号（あるいは受付アナウンス）を受信すると、通話相手の電話番号や暗唱暗号等をダイヤルすることになる。しかし、これら操作は、サービスを要求する発呼の都度行う必要があるため、操作が煩雑でである。
【０００８】
本発明は、このような問題点に鑑みてなされたものであり、クレジット呼サービスを利用している加入者が他のサービスを利用する場合に、前記他のサービスを利用できるシステムを提供するとともに、クレジット呼サービスを受けるための操作を簡略化することを課題とする。
【０００９】
【課題を解決するための手段】
本発明は、上記課題を解決するために以下のような手段を採用した。これを図１の原理図に基づいて説明する。
【００１０】
すなわち、本発明のクレジット呼サービスシステムは、サービス交換局１０と、サービス制御手段２０と、サービスクラス情報置換手段１１とを備えている。サービス交換局１０は、複数の端末４と接続され、各端末が加入している通信サービスを識別する通信サービス情報を登録している。そして、サービス交換局１０は、端末４から通信サービス要求を受けると、要求されている通信サービスの通信サービス情報が、前記端末４について登録されているか否かを判別する。ここで、前記要求されている通信サービスの通信サービス情報が前記端末４について登録されていれば、サービス交換局１０は、前記端末４に対して前記通信サービスを実行する。
【００１１】
サービス制御手段２０は、クレジット呼サービスに加入している加入者が、クレジット呼サービス以外の通信サービスに加入している場合に、その通信サービスを識別する通信サービス情報を登録する。そして、サービス制御手段２０は、加入者からのクレジット呼サービスの要求が発生すると、この加入者について登録されている通信サービス情報を読み出して、サービス交換局１０へ通知する。
【００１２】
サービスクラス情報置換手段１１は、サービス制御手段２０からサービス交換局１０へ前記加入者の通信サービス情報が通知されると、前記加入者が使用している端末について前記サービス交換局１０に登録されている通信サービス情報を、前記サービス制御手段２０から通知された通信サービス情報に置き換える。
【００１３】
このような構成を採用することにより、サービス交換局１０は、クレジット呼サービスを利用している加入者に対して、その加入者が加入している通信サービスの通信サービス識別情報に基づいて通信サービスを実行したり、不実行とすることができる（請求項１に対応）。
【００１４】
上記のような構成において、サービス制御手段２０は、加入者情報登録テーブル２０ａと、サービス情報通知部２０ｂとから構成されるようにしてもよい。この加入者情報登録テーブル２０ａは、個々の加入者を特定する加入者識別情報毎に、各加入者が加入している通信サービスを識別する通信サービス情報を登録する。また、サービス情報通知部２０ｂは、サービス交換局１０を介して加入者からの加入者識別情報及びクレジット呼サービス要求を受信すると、前記加入者情報登録テーブル２０ａを検索して前記加入者識別情報のエントリに登録されている通信サービス情報を読み出す。そして、サービス情報通知部２０ｂは、読み出された通信サービス情報をサービス交換局１０へ通知する（請求項２に対応）。
【００１５】
また、サービス交換局１０には、指定回数発信識別手段１０ａを備えるようにしてもよい。この指定回数発信識別手段１０ａは、加入者から指定された回数を登録し、この回数以内であれば、前記加入者からの発呼をクレジット呼として扱う（請求項３に対応）。
【００１６】
さらに、サービス交換局１０には、指定時間発信識別手段１０ｂを備えるようにしてもよい。この指定回数発信識別手段１０ｂは、加入者から指定された指定時間と設定時刻とを保持し、前記設定時刻から前記指定時間以内であれば、前記加入者からの発呼をクレジット呼として扱う（請求項４に対応）。
【００１７】
【発明の実施の形態】
以下、本発明の実施の形態を図面に基づいて説明する。
図２は、クレジット呼サービスシステムを適用するインテリジェントネットワークの概略構成図である。この図に示すように、インテリジェントネットワークは、複数の端末４０が接続されたサービス交換局１０と、サービス制御ノード（ＳＣＮ）５と、このサービス制御ノード（ＳＣＮ）５に接続された保守管理用コンソール６とから構成されている。上記のサービス交換局（ＳＳＮ）１０とサービス制御ノード（ＳＣＮ）５とは、ＣＣＩＴＴで７００番台の勧告として規定されているＮＯ．７信号網３によって接続されている。
【００１８】
各端末４は、各々一意の電話番号が割り当てられた端末であり、所有者の意向により、三者通話サービス、短縮ダイヤルサービス、キャンプオンサービス、通話中割り込みサービス、転送サービス、料金割引サービス等に加入することが可能になっている。この端末４は、例えば、電話機、ファクシミリ、モデム機能を有するパソコン等である。
【００１９】
サービス交換局（ＳＳＮ）１０は、ライン回路（ＬＣ）３１、共通信号インタフェース装置（ＣＳＥＩ）３２、共通線信号装置（ＣＳＥ）３３、ネットワークスイッチングモジュール（ＮＷ）３４、トランク（ＴＲＫ）３５、デジタルターミナル（ＤＴ）３６、アナウンス装置（ＡＮＥ）３７、及び呼処理プロセッサ（ＣＰＲ）１８を備えている。
【００２０】
ライン回路（ＬＣ）３１は、端末４と接続されており、端末４の発呼、応答、フッキング等を監視する。また、ライン回路（ＬＣ）３１は、端末４からの信号をネットワークスイッチングモジュール（ＮＷ）３４へ転送するとともに、ネットワークスイッチングモジュール（ＮＷ）３４からの信号を端末４へ送信する。
【００２１】
共通信号装置（ＣＳＥ）３３は、前記ネットワークスイッチングモジュール（ＮＷ）３４からライン回路（ＬＣ）３１を経て前記サービス制御ノード（ＳＣＮ）５へ制御信号を送信すると共に、前記サービス制御ノード（ＳＣＮ）５からの制御信号をライン回路（ＬＣ）３１からネットワークスイッチングモジュール（ＮＷ）３４を経て受信する。
【００２２】
共通信号インタフェース装置（ＣＳＥＩ）３２は、共通信号装置（ＣＳＥ）３３とデジタルターミナル（ＤＴ）３６とのインタフェース処理を行う装置である。具体的には、サービス制御ノード（ＳＣＮ）５からＰＣＭ符号化された音声信号を共通信号装置（ＣＳＥ）３３が受信した場合に、その信号をデジタルターミナル（ＤＴ）３６が処理可能な信号形式へ変換して、デジタルターミナル（ＤＴ）３６に出力する。
【００２３】
デジタルターミナル（ＤＴ）３６は、共通信号インタフェース装置（ＣＳＥＩ）３２から、音声信号をＰＣＭ符号化した信号を受信すると、受信された信号を復号してアナウンス装置（ＡＮＥ）３７に出力する。
【００２４】
アナウンス装置（ＡＮＥ）３７は、端末４へ送信する音声メッセージを発生する装置であり、各音声メッセージを特定するアナウンスコード毎に各音声メッセージを保持している。保持されている音声メッセージは、加入者毎に異なる部分の音声が抜けた音声メッセージであり、デジタルターミナル（ＤＴ）３６から、抜けている部分の音声メッセージが出力されると、この音声メッセージと保持している音声メッセージとを組み合わせて音声メッセージを完成させる。完成された音声メッセージは、ネットワークスイッチングモジュール（ＮＷ）３４を介してライン回路（ＬＣ）３１へ入力され、さらにライン回路（ＬＣ）３１から端末４に送信される。
【００２５】
トランク（ＴＲＫ）３５は、他の通信網との間で信号の送受信を行う。
呼処理プロセッサ（ＣＰＲ）３８は、端末４からのサービス要求やサービス制御ノード（ＳＣＮ）５からの指示に従って、上記した各部の動作を制御する。ここで、呼処理プロセッサ（ＣＰＲ）３８によって実現される機能について図３に基づいて説明する。この図に示すように、呼処理プロセッサ（ＣＰＲ）３８は、サービス情報置換部１１、指定回数発信識別部１０ａ、指定時間発信識別部１０ｂ、サービス情報保持テーブル１０ｃ、三者通話制御部１０ｄ、短縮ダイヤル制御部１０ｅ、キャンプオン制御部１０ｆ、及びクレジット呼受付部１０ｇの機能を実現する。
【００２６】
クレジット呼受付部１０ｇは、端末４から、クレジット呼サービス要求を示すコード番号と要求元の加入者のＩＤ番号とを受けると、これらのコード番号とＩＤ番号とを付加した呼制御指示依頼信号をサービス制御ノード（ＳＣＮ）５へ送信する。
【００２７】
サービス情報保持テーブル１０ｃは、各端末４の電話番号毎に、各端末４が加入している通信サービスを識別する通信サービス情報を登録している。サービス情報置換部１１は、サービス制御ノード（ＳＣＮ）５からクレジット呼サービスを要求した加入者について登録されている通信サービス情報を含む呼制御指示信号が送信されてくると、前記加入者が使用している端末４について前記サービス情報保持テーブル１０ｃに登録されている通信サービス情報を、前記サービス制御ノード（ＳＣＮ）５から送信されてきた通信サービス情報に置き換える。以後、クレジット呼受付部１０ｇは、通話料金を発呼側の加入者に対して課金する。
【００２８】
指定回数発信識別部１０ａは、個々の加入者を特定するＩＤ番号毎に、指定回数を保持している。この指定回数は、各加入者が任意に設定する回数である。この設定方法としては、加入者がオフフックした後に、指定回数の設定要求を示すコード番号と指定回数を示す番号と加入者のＩＤ番号とをダイヤルする方法が例示できる。この方法を採用した場合、指定回数発信識別部１０ａは、前記加入者からの指定回数の設定要求を示すコード番号と指定回数を示す番号と加入者のＩＤ番号とを受けると、クレジット呼受付部１０ｇからサービス制御ノード（ＳＣＮ）５へ、前記ＩＤ番号と通信サービスの送信要求を送信する。そして、サービス制御ノード（ＳＣＮ）５から、前記加入者が加入している通信サービスの通信サービス情報が送信されてくると、前記加入者が使用している端末４について前記サービス情報保持テーブル１０ｃに登録されている通信サービス情報を、前記送信されてきた通信サービス情報に置き換える。さらに、指定回数発信識別部１０ａは、前記加入者が使用している端末４の電話番号と、前記加入者から送信されてきたＩＤ番号及び指定回数とを保持する。
【００２９】
また、指定回数発信識別部１０ａは、ある端末４からの発呼を認識すると、ライン回路（ＬＣ）３１によって前記端末４の電話番号を判別する。判別された電話番号は、指定回数発信識別部１０ａに保持されている電話番号と比較される。ここで、前記端末４の電話番号が前記指定回数発信識別部１０ａに保持されていると、指定回数発信識別部１０ａは、前記電話番号とともに保持されているＩＤ番号を読み出し、クレジット呼受付部１０ｇに出力する。クレジット呼受付部１０ｇは、指定回数発信識別部１０ａから出力されたＩＤ番号と、クレジット呼サービス要求を示すコード番号とをサービス制御ノード（ＳＣＮ）５へ送信する。サービス制御ノード（ＳＣＮ）５へクレジット呼サービス要求を示すコード番号が送信されると、指定回数発信識別部１０ａは、前記電話番号とともに保持されている指定回数を一つデクリメントする。ここで、デクリメントされた指定回数が零になった場合には、指定回数発信識別部１０ａは、前記電話番号とＩＤ番号とを消去する。
【００３０】
この指定回数発信識別部１０ａを利用すれば、加入者は、指定回数以内であれば、クレジット呼サービス要求の操作を行わずにクレジット呼サービスを受けることができる。
【００３１】
次に、指定時間発信識別部１０ｂは、個々の加入者を特定するＩＤ番号毎に、設定時刻と指定時間とを保持している。指定時間は、各加入者が任意に設定する時間であり、設定時刻は各加入者が指定時間を設定した時刻を示している。この指定時間の設定方法としては、加入者がオフフックした後に、指定時間の設定要求を示すコード番号と指定時間を示す番号と加入者のＩＤ番号とをダイヤルする方法が例示できる。この方法を採用した場合、指定時間発信識別部１０ｂは、前記加入者からの指定時間の設定要求を示すコード番号と指定時間を示す番号と加入者のＩＤ番号とを受けると、クレジット呼受付部１０ｇからサービス制御ノード（ＳＣＮ）５へ、前記ＩＤ番号と通信サービスの送信要求を送信する。そして、サービス制御ノード（ＳＣＮ）５から、前記加入者が加入している通信サービスの通信サービス情報が送信されてくると、前記加入者が使用している端末４について前記サービス情報保持テーブル１０ｃに登録されている通信サービス情報を、前記送信されてきた通信サービス情報に置き換える。さらに、指定時間発信識別部１０ｂは、前記加入者が使用している端末４の着信番号と、前記加入者から送信されてきたＩＤ番号及び指定時間を保持するとともに、この指定時間を設定した時刻（設定時刻）を保持する。
【００３２】
また、指定時間発信識別部１０ｂは、ある端末４からの発呼を認識すると、ライン回路（ＬＣ）３１によって前記端末４の電話番号を判別する。判別された電話番号は、指定時間発信識別部１０ｂに保持されている電話番号と比較される。ここで、前記端末４の電話番号が前記指定時間発信識別部１０ｂに保持されていると、指定時間発信識別部１０ｂは、前記電話番号とともに保持されているＩＤ番号を読み出し、クレジット呼受付部１０ｇに出力する。クレジット呼受付部１０ｇは、指定時間発信識別部１０ｂから出力されたＩＤ番号と、クレジット呼サービス要求を示すコード番号とをサービス制御ノード（ＳＣＮ）５へ送信する。尚、指定時間発信識別部１０ｃは、保持されている設定時刻に指定時間を加算した時刻と現時刻とが一致すると（設定時刻から指定時間が経過すると）、前記電話番号とＩＤ番号と設定時刻と指定時間とを消去する。
【００３３】
この指定時間発信識別部１０ａを利用すれば、加入者は、設定時刻からしてｅ時間内であれば、クレジット呼サービス要求の操作を行わずにクレジット呼サービスを受けることができる。
【００３４】
三者通話制御部１０ｄは、端末４から三者通話サービス要求を示すコード番号を受けると、その端末４の電話番号をキーワードにしてサービス情報保持テーブル１０ｃを検索し、前記端末４が三者通話サービスに加入しているか否かを判別する。そして、前記端末４が三者通話サービスに加入していれば、三者通話サービスを実行する。一方、前記端末４が三者通話サービスに未加入ならば、アナウンス装置（ＡＮＥ）３７から三者通話サービスを実行できないことを示す音声メッセージを出力させ、端末４へ送信する。
【００３５】
短縮ダイヤル制御部１０ｅは、端末４から短縮ダイヤルサービス要求を示すコード番号を受けると、その端末４の電話番号をキーワードにしてサービス情報保持テーブル１０ｃを検索し、前記端末４が短縮ダイヤルサービスに加入しているか否かを判別する。そして、前記端末４が短縮ダイヤルサービスに加入していれば、短縮ダイヤルサービスを実行する。一方、前記端末４が短縮ダイヤルサービスに未加入ならば、アナウンス装置（ＡＮＥ）３７から短縮ダイヤルサービスを実行できないことを示す音声メッセージを出力させ、端末４へ送信する。
【００３６】
キャンプオン制御部１０ｆは、端末４からキャンプオンサービス要求を示すコード番号を受けると、その端末４の電話番号をキーワードにしてサービス情報保持テーブル１０ｃを検索し、前記端末４がキャンプオンサービスに加入しているか否かを判別する。そして、前記端末４がキャンプオンサービスに加入していれば、キャンプオンサービスを実行する。一方、前記端末４がキャンプオンサービスに未加入ならば、アナウンス装置（ＡＮＥ）３７からキャンプオンサービスを実行できないことを示す音声メッセージを出力させ、端末４へ送信する。
【００３７】
図２に戻って、サービス制御ノード（ＳＣＮ）５は、主記憶装置（ＭＭ）４１、ＣＰＵ４２、及びデータベース４３から構成されている。
主記憶装置（ＭＭ）４１は、ＣＰＵ２２が実行すべきプログラム（ＳＶＰ）４１ｂと、加入者情報テーブル４１ａとを格納している。
【００３８】
加入者情報テーブル４１ａは、各加入者を特定するＩＤ番号毎に、各加入者が加入している通信サービスを識別する情報を登録するエントリが設定されている。このエントリは、通信サービス毎の領域に分割されており、各領域には各通信サービスに加入者が加入しているか否かを識別するフラグ（０：未加入、１：加入）が格納されている。例えば、加入者情報テーブル４１ａの各エントリは、図４に示すように、Ａ０１〜Ａ３１の３１個の領域に分割されており、Ａ０１の領域には、加入者が三者通話サービスに加入しているか否かを識別するフラグが登録され、Ａ０２の領域には、加入者が短縮ダイヤルサービスに加入しているか否かを識別するフラグが格納され、Ａ０３の領域には、加入者がキャンプオンサービスに加入しているか否かを識別するフラグが格納され、以下の領域にもその他の通信サービスに加入者が加入しているか否かを識別するフラグが格納されている。
【００３９】
図２に戻って、データベース４３は、着信転送サービスにおける転送先の電話番号等を格納する。
ＣＰＵ４２は、主記憶装置（ＭＭ）４１のプログラム（ＳＶＰ）４１ｂを実行する。ここで、ＣＰＵ４２が主記憶装置（ＭＭ）４１のプログラム（ＳＶＰ）４１ｂを実行することにより、本発明のサービス情報通知部の機能を実現する。すなわち、ＣＰＵ４２は、サービス交換局（ＳＳＮ）１０からクレジット呼サービスの要求信号を受信すると、このクレジット呼サービス要求信号からＩＤ番号を取り出し、取り出されたＩＤ番号をキーワードにして加入者情報登録テーブル４１ａを検索し、ＩＤ番号のエントリに登録されている通信サービス情報を読み出す。このようにして読み出された通信サービス情報は、サービス交換ノード（ＳＳＮ）１０へ送信される。
【００４０】
通信サービス情報の送信方法としては、ＮＯ．７信号網３においてサービス制御ノードからサービス交換局へ送信される呼制御指示信号に書き込む方法が例示できる。この呼制御指示信号は、図５に示すように、メッセージタイプ格納領域、メッセージ長格納領域、コンポーネント領域とから構成されている。
【００４１】
メッセージタイプ格納領域は、呼制御指示信号の種別を登録する領域である。メッセージ長格納領域は、呼制御指示信号全体の長さを登録する領域である。コンポーネント部は、サービス交換局（ＳＳＮ）１０に対するオペレーションを格納する領域であり、コンポーネントタイプ格納領域、コンポーネント長格納領域、呼制御指示領域とから構成されている。
【００４２】
コンポーネントタイプ格納領域は、コンポーネント部に格納されているオペレーションの種別を示す情報を格納する領域である。
コンポーネント長格納領域は、コンポーネント部の長さを登録する領域である。
【００４３】
呼制御指示領域は、各信号網で自由に定義できる領域であり、個々の通信サービスを識別するSERVICE KEY、端末４へ送信する音声アナウンスのアナウンスコードを示すIP routing address、被呼側電話番号や発側電話番号等の受信完了信号を示す送信情報、音声アナウンスに付加すべき数字情報や課金情報等を示す受信情報、監査情報を示すＡＭＡ情報、着側端末の電話番号を示す着ＤＮ情報等から構成されている。そして、この呼制御指示領域に、通信サービス情報を付加すればよい。
【００４４】
図２に戻って保守管理用コンソール６は、加入者情報登録テーブル４１ａにデータを書き込んだり、データベース４３のデータを更新したりするものである。
以下、本実施の形態の作用・効果について述べる。
【００４５】
クレジット呼サービス提供動作について、図６及び図７に沿って説明する。
まず、端末４がオンフック状態（切断状態）（ステップＳ９０１）から、オフフック状態に移行すると、サービス交換局（ＳＳＮ）１０のライン回路（ＬＣ）３１は、端末４がオフフック状態になったことを検出する（ステップＳ９０２）。
【００４６】
ここで、加入者がクレジット呼サービス要求を示すコード番号と、加入者のＩＤ番号とをダイヤルすると（ステップＳ９０３）、ダイヤルされた番号は、発側端末４０からサービス交換局（ＳＳＮ）１０に送信される（ステップＳ９０４）。
【００４７】
サービス交換局（ＳＳＮ）１０では、加入者から送信されたコード番号がライン回路（ＬＣ）３１から呼処理プロセッサ（ＣＰＲ）３８へ通知される。コード番号が通知された呼処理プロセッサ（ＣＰＲ）３８は、前記コード番号がクレジット呼サービスの要求を示すコード番号であることを判別する（ステップＳ９０５）。
【００４８】
そして、サービス交換局（ＳＳＮ）１０の呼処理プロセッサ（ＣＰＲ）３８は、クレジット呼に関する制御指示を受けるため、前記加入者のＩＤ番号を呼制御指示依頼信号に書き込んで、サービス制御ノード（ＳＣＮ）５へ送信する（ステップＳ９０６）。
【００４９】
サービス制御ノード（ＳＣＮ）５のＣＰＵ４２は、サービス交換局（ＳＳＮ）１０からの呼制御指示依頼信号を受信すると、ＩＤ番号をキーワードにして、主記憶装置（ＭＭ）４１の加入者情報テーブル４１ａを検索し、ＩＤ番号が登録されているか否かを判別する（ステップＳ９０７）。
【００５０】
ステップＳ９０７において加入者情報テーブル４１ａに前記ＩＤ番号が登録されていれば、ＣＰＵ４２は、加入者情報テーブル４１ａから、ＩＤ番号によって特定される加入者の通信サービス情報を読み出し、この通信サービス情報を呼制御指示信号に書き込んでサービス交換局（ＳＳＮ）１０へ送信する（ステップＳ９０８）。
【００５１】
ステップＳ９０７において加入者情報テーブル４１ａに前記ＩＤ番号が未登録ならば、ＣＰＵ４２は、加入者がクレジット呼サービスに加入していないことを判定し、その判定結果を呼制御指示信号に書き込んで、サービス交換局（ＳＳＮ）１０に送信する（ステップＳ９１０）。
【００５２】
サービス交換局（ＳＳＮ）１０では、サービス制御ノード（ＳＣＮ）５からの呼制御指示信号を共通信号装置（ＣＳＥ）３３が受信し、この呼制御指示信号に加入者の通信サービス情報が書き込まれているか否かを判別する。ここで、呼制御指示信号に通信サービス情報が書き込まれていれば、共通信号装置（ＣＳＥ）３３は、前記通信サービス情報を呼処理プロセッサ（ＣＰＲ）３８へ通知する。呼処理プロセッサ（ＣＰＲ）３８は、通知された通信サービス情報を、前記加入者が使用している端末４の通信サービス情報として通信サービス情報保持テーブル１０ｃに登録する（ステップＳ９０）。従って、クレジット呼サービスを要求した加入者が、例えば通話中割り込みサービスを契約しており、発側端末４０に通話中割り込みサービスが契約されていなくても、発側端末４０は、クレジット呼サービスを受けている間、通話中割り込みサービスを受けることが可能となる。そして、サービス交換局（ＳＳＮ）１０は、呼を受け付けたことを示す受付音を発側端末４０に送出する（Ｓ９１１）。
【００５３】
一方、サービス交換局（ＳＳＮ）１０の共通信号装置（ＣＳＥ）３３は、受信した呼制御指示信号に、前記加入者がクレジット呼サービスに加入していないことを示す情報が書き込まれていない場合には、その旨を呼処理プロセッサ（ＣＰＲ）３８へ通知する。呼処理プロセッサ（ＣＰＲ）３８は、前記加入者からの発呼を、クレジット呼としてではなく、通常の呼として取り扱い、呼を受け付けたことを示す受付音をライン回路（ＬＣ）３１から発側端末４０へ送信する（ステップＳ９１１）。
【００５４】
端末４では、受付音を受信すると、着側電話番号がダイヤルされる（ステップＳ９１２）。ステップＳ９１２でダイヤルされた番号は、端末４からサービス交換局（ＳＳＮ）１０へ送信される（ステップＳ９１３）。
【００５５】
サービス交換局（ＳＳＮ）１０は、発側端末４からの着側電話番号を受信すると、この着側電話番号によって特定される着側端末（被呼者）を呼び出す（ステップＳ９１４）。
【００５６】
着側端末が応答すると（ステップＳ９１５）、ネットワークスイッチングモジュール（ＮＷ）３４によって発側加入者が使用している端末４に接続されている通話パスと、着側の端末に接続されている通話パスとが接続され、発側端末と着側端末との通話が成立する（ステップＳ９１６）。
【００５７】
こののち、発側の加入者が三者通話サービスを利用する場合には、発側端末４において、フッキング操作をしたのち、三者通話サービス要求を示すコード番号と前記着側端末とは異なる着側端末の電話番号がダイヤルされ（ステップＳ９１７）、フッキング信号とコード番号と第２被呼者の電話番号とがサービス交換局（ＳＳＮ）１０へ送信される（ステップＳ９１９）。この発側端末４におけるフッキング操作によって、着側端末は保留状態にされている（ステップＳ９１８）。
【００５８】
サービス交換局（ＳＳＮ）１０は、発側端末４からのフッキン信号とコード番号と着信電話番号とを受信すると、先ず、コード番号が三者通話サービスの要求コードであることを判別する。そして、サービス交換局（ＳＳＮ）１０は、受信された着信電話番号によって特定される第２被呼者を呼び出す（ステップＳ９２０）。
【００５９】
第２被呼者が応答すると（ステップＳ９２１）、発側加入者と前記着側端末との間で通話が成立する（ステップＳ９２２）。ここで発側加入者がフッキン操作を行うと（ステップＳ９２３）、発側端末４と、上記２つの着信端末との間で三者通話サービスが成立する（ステップＳ９２４）。
【００６０】
次に、発側端末４においてオンフック操作が行われると（ステップＳ９２５）、前記発側端末４からサービス交換局（ＳＳＮ）１０へオンフック信号（切断通知）が送信される（ステップＳ９２６）。そして、サービス交換局（ＳＳＮ）１０では、前記オンフック信号を受信すると、ネットワークスイッチングモジュール（ＮＷ）３４によって前記３つの端末を接続している通話パスを切断する（ステップＳ９２７）。
【００６１】
以上、本実施の形態によれば、クレジット呼サービスを利用している加入者は、使用端末の加入／未加入にかかわらず、加入者自身が加入している通信サービスを受けることができる。
【００６２】
また、加入者は、予め指定時間や指定回数を設定しておくことにより、その指定回数以内あるいは指定時間以内であれば、通常の発呼処理を行うだけでクレジット呼サービスを受けることができる。
【００６３】
【発明の効果】
本発明のクレジット呼サービスシステムによれば、クレジット呼サービスを受けている最中の加入者が、他の通信サービスを利用できる。
【００６４】
また、予め、指定時間や指定回数を設定しておけば、加入者は、発呼の度にクレジット呼サービスの要求にかかる操作を行う必要がなくなる。
【図面の簡単な説明】
【図１】本発明の原理図
【図２】本発明を適用するインテリジェントネットワークの概略構成図
【図３】呼処理プロセッサの機能別構成ブロック図
【図４】加入者情報テーブルの構成を示す図
【図５】呼制御指示信号のフォーマットを示す図
【図６】実施形態のクレジット呼サービス提供動作を表すシーケンス図（１）
【図７】実施形態のクレジット呼サービス提供動作を表すシーケンス図（２）
【符号の説明】
３・・・・ＮＯ．７信号網
４・・・・端末
５・・・・サービス制御ノード（ＳＣＮ）
６・・・・保守管理用コンソール
１０・・・・サービス交換局（ＳＳＮ）
１０ａ・・・指定回数発信識別部（指定回数発信識別手段）
１０ｂ・・・指定時間発信識別部（指定時間発信識別手段）
１０ｃ・・・サービス情報保持テーブル
１０ｄ・・・三者通話制御部
１０ｅ・・・短縮ダイヤル制御部
１０ｆ・・・キャンプオン制御部
１０ｇ・・・クレジット呼受付部
１１・・・・サービス情報置換部（サービス情報置換手段）
２０・・・・サービス制御手段
２０ａ・・・加入者情報登録テーブル
２０ｂ・・・サービスクラス情報通知部
３１・・・・ライン回路（ＬＣ）
３２・・・・共通信号インタフェース装置（ＣＳＥＩ）
３３・・・・共通線信号装置（ＣＳＥ）
３４・・・・ネットワークスイッチングモジュール（ＮＷ）
３５・・・・トランク（ＴＲＫ）
３６・・・・デジタルターミナル（ＤＴ）
３７・・・・アナウンス装置（ＡＮＥ）
３８・・・・呼処理プロセッサ（ＣＰＲ）
４１・・・・主記憶装置（ＭＭ）
４１ａ・・・加入者情報登録テーブル
４１ｂ・・・プログラム（ＳＶＰ）
４２・・・・ＣＰＵ
４３・・・・データベース
【図１】
0003741765.tif 000002
【図２】
0003741765.tif 000003
【図３】
0003741765.tif 000004
【図４】
0003741765.tif 000005
【図５】
0003741765.tif 000006
【図６】
0003741765.tif 000007
【図７】
0003741765.tif 000008